(57)【特許請求の範囲】
【請求項１】
少なくとも外層、内層及びその間の中間層を有する熱可塑性合成樹脂製の燃料タンク本体に、開口部を一体的に形成してなる燃料タンクの開口部構造において、
上記開口部は、上記燃料タンク本体から外方に延出する筒状部と、該筒状部の先端から上記筒状部を拡径する方向に折れ曲がるとともにさらに上記開口部の中心方向にヘヤピン状に折れ曲がり上下に熱可塑性合成樹脂の外層、内層及びその間の中間層がそれぞれ２層に重ね合わされ上記開口部の開口面に平行な外面を有する折曲部とから構成され、該折曲部の少なくとも一部は、上記開口面に垂直な方向から圧縮した他の部分よりも薄肉の圧縮部を有し、該圧縮部の重ね合わされた部分の下側の上記外層に金属製の環状の蓋係止部材を一体的に埋設し、
該蓋係止部材は、上記開口部の筒状部に埋設される筒状の下縦壁部と、該下縦壁部の先端から上記下縦壁部を拡径する方向に折れ曲がり上記開口面に平行な面を形成する下段部と、該下段部の先端から階段状に上方に折れ曲がるとともにさらに拡径する方向に折れ曲がり上記開口面に平行な面を形成する上段部と、該上段部から複数個所の上方に上縦壁部が延設され、該上縦壁部の先端から上記開口部の中心方向にＬ字形に曲がった係止用爪部を形成し、上記下段部が上記圧縮部の重ね合わされた部分の下側の上記外層に埋設され、上記下段部は、上記開口部の折曲部を保持したことを特徴とする燃料タンクの開口部構造。
【請求項２】
上記蓋係止部材の下縦壁部には、上記開口部の筒状部の熱可塑性合成樹脂が進入して上記蓋係止部材を上記開口部に固着する切欠部又は固定孔が形成された請求項１に記載の燃料タンクの開口部構造。
【請求項３】
上記圧縮部は、断面コ字形の溝状に形成され、溝状の底部は平滑面が形成された請求項１又は請求２に記載の燃料タンクの開口部構造。
【請求項４】
上記燃料タンクの開口部を塞ぐ蓋体を挟持する固定部材は、リング状で断面形状が平板状に形成され、上記蓋係止部材の係止用爪部に係合されるとともに、上記係止用爪部に対応する部分に凸部が形成された請求項１乃至請求項３のいずれか１項に記載の燃料タンクの開口部構造。
【請求項５】
少なくとも外層、内層及びその間の中間層を有する熱可塑性合成樹脂部材をブロー成形して燃料タンク本体を形成するとともに、開口部を一体的に形成する燃料タンクの製造方法において、
上記ブロー成形金型の上記開口部を形成する部分に金属製の環状の蓋係止部材を保持させて、
該蓋係止部材は、上記開口部の筒状部に埋設される筒状の下縦壁部と、該下縦壁部の先端から上記下縦壁部を拡径する方向に折れ曲がり上記開口面に平行な面を形成する下段部と、該下段部の先端から階段状に上方に折れ曲がるとともにさらに拡径する方向に折れ曲がり上記開口面に平行な面を形成する上段部と、該上段部から複数個所の上方に上縦壁部が延設され、該上縦壁部の先端から上記開口部の中心方向にＬ字形に曲がった係止用爪部を形成し、
ブロー成形金型の上記蓋係止部材を保持する部分の外側に、スライド金型を設け、該スライド金型の内面の周端に凸条部を形成し、
上記燃料タンク本体のブロー成形時に、上記スライド金型を外方に後退させて、上記燃料タンク本体の熱可塑性合成樹脂部材の一部から外方に延出させて上記開口部の筒状部を形成し、
上記蓋係止部材と上記スライド金型の凸条部の間に、上記筒状部の上記熱可塑性合成樹脂部材を進入させ、拡径させるともに、上記開口部の上記熱可塑性合成樹脂部材を上記スライド金型の内面に当接させ、上記筒状部の先端から上記筒状部を拡径する方向に折れ曲げるとともにさらに、上記開口部の中心方向にヘヤピン状に折り曲げて上記熱可塑性合成樹脂部材の外層、内層及びその間の中間層をそれぞれ２層に重ね合わせ折曲部を形成し、上記蓋係止部材の下段部で上記折曲部を保持し、上記スライド金型を上記蓋係止部材方向に前進させ、上記スライド金型と上記蓋係止部材の下段部とで挟持しつつ上記折曲部の少なくとも一部を上記開口面に垂直な方向から圧縮して他の部分よりも薄肉の圧縮部を形成し、該圧縮部の重ね合わされた部分の下側の上記外層に上記蓋係止部材の下縦壁部を一体的に埋設し、上記開口部の開口する部分を塞ぐ上記熱可塑性合成樹脂部材を切除して開口部を形成したことを特徴とする燃料タンクの製造方法。
【請求項６】
上記圧縮部の形成は、上記スライド金型の凸条部により断面コ字形の溝状に形成され、溝状の底部は平滑面が形成された請求項５に記載の燃料タンクの製造方法。
【発明の詳細な説明】
【技術分野】
【０００１】
本発明は、熱可塑性合成樹脂製の燃料タンクの開口部構造およびその製造方法に関するものであり、特に、複数の層を有する合成樹脂部材をブロー成形することにより燃料タンク本体を形成するとともに、その燃料タンク本体に一体的に開口部を形成する熱可塑性合成樹脂製の燃料タンクの開口部構造およびその製造方法に関するものである。
【背景技術】
【０００２】
従来、自動車用等の燃料タンクの構造としては、金属製のものが用いられていたが、近年、車両の軽量化や、錆が発生しないこと、所望の形状に成形しやすいことなどによって熱可塑性合成樹脂製のものが用いられるようになってきた。
合成樹脂製の自動車用燃料タンクの製造は、中空体を成形することの容易性からブロー成形方法が多く用いられてきた。ブロー成形方法では、溶融した熱可塑性合成樹脂部材のパリソンを円筒状にして上から押出して、そのパリソンを金型で挟みパリソン中に空気を吹き込み、自動車用燃料タンクを製造していた。
【０００３】
この燃料タンクには、タンク内部に装着する部品の出し入れのために開口部が形成されている。この開口部の形成は、燃料タンク本体をブロー成形で形成すると同時に、開口部を一体的に形成することが行なわれている。
その構造は、例えば、図８に示すように、開口部１１０と、その開口を塞ぐ蓋体１４０が取り付けられている（例えば、特許文献１参照。）。
【０００４】
図８の構成では、開口部１１０の周辺に蓋体１４０を係止するカムロック部材１２０を埋設し、リング状の固定部材１３０と開口部１１０で蓋体１４０を挟み、カムロック部材１２０で固定部材１３０を押圧して、蓋体１４０を固定している。このとき、蓋体１４０と開口部１１０との間をシールするため、その間にシールリング１５０が取付けられている。そのシールリング１５０を取付けるために、開口部１１０の蓋体１４０と対向する面には溝部１１６が形成されている。
【０００５】
この溝部１１６は、シール性を確保するため、平滑な面が必要とされるが、ブロー成形で、この溝部１１６を形成すると、ブローの内圧でブロー成形金型の内面に押圧することのみでは充分な平滑面が得られなかった。また、この開口部１１０の端面からガソリンが浸透することを防止するために、開口部１１０の溝部１１６の肉厚を薄くすることも必要とされている。しかしながら、溝部１１６の部分を薄く形成するため、溝部１１６を形成するときに、開口部１１０の直角方向から溝部１１６を形成するようにスライド金型を移動させて、圧縮しようとすると、カムロック部材１２０は、開口部１１０の部分に埋設されているのみであるため、溝部１１６の部分を保持するものがなく、圧縮する金型の圧力を受けることができず、圧縮することが困難であった。
【０００６】
また、図９に示すように、燃料タンク本体２０１を多層構造の熱可塑性合成樹脂で形成するものある（例えば、特許文献２参照。）。この場合は、内層と外層を燃料タンクとして必要な強度を保持して、燃料にも強い高密度ポリエチレン（ＨＤＰＥ）で構成し、その間に燃料の浸透を防止するバリヤ層としての中間層から構成される熱可塑性合成樹脂部材で形成している。
【０００７】
この場合に、開口部２１０において、蓋体２４０を開口部２１０に取付けるために、開口部２１０に外周にネジが形成された環状部材２２０が一体的に固着されている。この環状部材２２０の蓋体２４０と対抗する面に開口部２１０の折曲部２１２が一体的に固着され、その折曲部２１２の一部に圧縮部２１３が形成されている。この圧縮部２１３の中にシールリング２５０が設置されて、蓋体２４０と開口部２１０との間をシールしている。しかしながら、この環状部材２２０は合成樹脂で形成されているため強度が低く、外力に対して十分な合成を確保することが困難であった。
【０００８】
また、蓋体２４０を開口部２１０に固定するために、環状で内部にネジ溝が形成された固定部材２３０を環状部材２２０にねじ込むために、取付けに時間がかかり、ネジ部分に所定の長さが必要であり、開口部２１０の高さが高くなり、スペースが必要になる。また、ネジを強く締めすぎると合成樹脂製のため、環状部材２２０や固定部材２３０が塑性変形する恐れもあった。
【特許文献１】特開２００２−１８７１６２号公報
【特許文献２】特開２００３−２２０８４０号公報
【発明の開示】
【発明が解決しようとする課題】
【０００９】
そのため、本発明は、蓋体の取り付けが容易で、シール性に優れて、開口部から燃料の浸透の少ない燃料タンクの開口部構造とその燃料タンクの製造方法を提供することを課題とする。
【課題を解決するための手段】
【００１０】
上記課題を解決するための請求項１の本発明は、少なくとも外層、内層及びその間の中間層を有する熱可塑性合成樹脂製の燃料タンク本体に、開口部を一体的に形成してなる燃料タンクの開口部構造において、
開口部は、燃料タンク本体から外方に延出する筒状部と、筒状部の先端から筒状部を拡径する方向に折れ曲がるとともにさらに開口部の中心方向にヘヤピン状に折れ曲がり上下に熱可塑性合成樹脂の外層、内層及びその間の中間層がそれぞれ２層に重ね合わされ開口部の開口面に平行な外面を有する折曲部とから構成され、折曲部の少なくとも一部は、開口面に垂直な方向から圧縮した他の部分よりも薄肉の圧縮部を有し、圧縮部の重ね合わされた部分の下側の外層に金属製の環状の蓋係止部材を一体的に埋設し、
蓋係止部材は、開口部の筒状部に埋設される筒状の下縦壁部と、下縦壁部の先端から下縦壁部を拡径する方向に折れ曲がり開口面に平行な面を形成する下段部と、下段部の先端から階段状に上方に折れ曲がるとともにさらに拡径する方向に折れ曲がり開口面に平行な面を形成する上段部と、上段部から複数個所の上方に上縦壁部が延設され、上縦壁部の先端から開口部の中心方向にＬ字形に曲がった係止用爪部を形成し、下段部が圧縮部の重ね合わされた部分の下側の外層に埋設され、下段部は、開口部の折曲部を保持した燃料タンクの開口部構造である。
【００１１】
請求項１の本発明では、開口部は、燃料タンク本体から外方に延出する筒状部と、筒状部の先端から筒状部を拡径する方向に折れ曲がるとともにさらに開口部の中心方向にヘヤピン状に折れ曲がり上下に熱可塑性合成樹脂の外層、内層及びその間の中間層がそれぞれ２層に重ね合わされ開口部の開口面に平行な外面を有する折曲部とから構成される。このため、開口部は、燃料タンク本体から一体的に形成され密閉性に優れるとともに、折曲部の肉厚を確保することができ、シール部材を保持することができる。折曲部は、外面が燃料タンク本体の外層で形成されるため、強度を確保することができ、内部に中間層を有するため、燃料の浸透を防止することができる。
【００１２】
折曲部の少なくとも一部は、開口面に垂直な方向から圧縮した他の部分よりも薄肉の圧縮部を有するため、圧縮部で開口部の肉厚を薄くすることができ、開口部の先端から燃料の浸透を最小限にすることができる。また、薄肉部にシール部材を嵌め込むことができ、シール性を確保することができる。
圧縮部の重ね合わされた部分の下側の外層に金属製の環状の蓋係止部材を一体的に埋設したため、圧縮部を形成するときに折曲部を蓋係止部材で下から保持することができ、折曲部を圧縮することが容易であり、蓋体を開口部に取り付けるときも蓋体と開口部を強く密着させることができる。
【００１４】
請求項１では、蓋係止部材は、開口部の筒状部に埋設される筒状の下縦壁部を有するため、開口部の筒状部の強度を確保するとともに、開口部に蓋係止部材が強く固着されることができる。
下縦壁部の先端から下縦壁部を拡径する方向に折れ曲がり開口面に平行な面を形成する下段部を有して折曲部を保持するため、この下段部で、開口部の折曲部を保持することができ、圧縮部を形成するときに、折曲部を蓋係止部材で下から保持して、折曲部を圧縮することが容易であり、蓋体を開口部に取り付けるときも、蓋体と開口部の折曲部を強く密着させることができる。
【００１５】
下段部の先端から階段状に上方に折れ曲がるとともにさらに拡径する方向に折れ曲がり開口面に平行な面を形成する上段部と、上段部から複数個所の上方に上縦壁部が延設され、上縦壁部の先端から開口部の中心方向にＬ字形に曲がった係止用爪部を形成する。このため、蓋係止部材の上縦壁部と係止用爪部が鉤状に形成され、固定部材を介して蓋体を押圧することができ、開口部と蓋体の間を強くシールすることができる。さらに、蓋係止部材がカムロック構造をとるため、係止時に蓋体と固定部材をわずかに回転させるのみで、蓋体を係止することができ、組付けが容易となるとともに、開口部の高さを低くすることができる。
【００１６】
請求項２の本発明は、蓋係止部材の下縦壁部には、開口部の筒状部の熱可塑性合成樹脂が進入して蓋係止部材を開口部に固着する切欠部又は固定孔が形成された燃料タンクの開口部構造である。
【００１７】
請求項２の本発明では、蓋係止部材の下縦壁部には、開口部の筒状部の熱可塑性合成樹脂が進入して蓋係止部材を開口部に固着する切欠部又は固定孔が形成されたため、切欠部又は固定孔に侵入した合成樹脂が開口部と蓋係止部材を強く固着して、蓋係止部材が開口部内でズレルことがない。
【００２０】
請求項３の本発明は、圧縮部は、断面コ字形の溝状に形成され、溝状の底部は平滑面が形成された燃料タンクの開口部構造である。
【００２１】
請求項３の本発明では、圧縮部は、断面コ字形の溝状に形成され、溝状の底部は平滑面が形成されたため、シール部材を所定位置に確実に保持することができるとともにシール部材が平滑面に密着するため、シール性がよい。
【００２２】
請求項４の本発明は、燃料タンクの開口部を塞ぐ蓋体を挟持する固定部材は、リング状で断面形状が平板状に形成され、蓋係止部材の係止用爪部に係合されるとともに、係止用爪部に対応する部分に凸部が形成された燃料タンクの開口部構造である。
請求項４の本発明では、燃料タンクの開口部を塞ぐ蓋体を挟持する固定部材は、リング状で断面形状が平板状に形成され、蓋係止部材の係止用爪部に係合されるとともに、係止用爪部に対応する部分に凸部が形成されたため、この凸部が蓋係止部材の係止用爪部と弾性的に係合して蓋体を係止することができる。
【００２５】
請求項５の本発明は、少なくとも外層、内層及びその間の中間層を有する熱可塑性合成樹脂部材をブロー成形して燃料タンク本体を形成するとともに、開口部を一体的に形成する燃料タンクの製造方法において、
ブロー成形金型の開口部を形成する部分に金属製の環状の蓋係止部材を保持させて、
蓋係止部材は、開口部の筒状部に埋設される筒状の下縦壁部と、下縦壁部の先端から下縦壁部を拡径する方向に折れ曲がり開口面に平行な面を形成する下段部と、下段部の先端から階段状に上方に折れ曲がるとともにさらに拡径する方向に折れ曲がり開口面に平行な面を形成する上段部と、上段部から複数個所の上方に上縦壁部が延設され、上縦壁部の先端から開口部の中心方向にＬ字形に曲がった係止用爪部を形成し、
ブロー成形金型の蓋係止部材を保持する部分の外側に、スライド金型を設け、スライド金型の内面の周端に凸条部を形成し、
燃料タンク本体のブロー成形時に、スライド金型を外方に後退させて、燃料タンク本体の熱可塑性合成樹脂部材の一部から外方に延出させて開口部の筒状部を形成し、
蓋係止部材とスライド金型の凸条部の間に、筒状部の熱可塑性合成樹脂部材を進入させ、拡径させるともに、開口部の上記熱可塑性合成樹脂部材をスライド金型の内面に当接させ、筒状部の先端から筒状部を拡径する方向に折れ曲げるとともに、さらに開口部の中心方向にヘヤピン状に折り曲げて熱可塑性合成樹脂部材の外層、内層及びその間の中間層をそれぞれ２層に重ね合わせ折曲部を形成し、蓋係止部材の下段部で折曲部を保持し、スライド金型を蓋係止部材方向に前進させ、スライド金型と蓋係止部材の下段部とで挟持しつつ上記折曲部の少なくとも一部を開口面に垂直な方向から圧縮して他の部分よりも薄肉の圧縮部を形成し、圧縮部の重ね合わされた部分の下側の外層に蓋係止部材を一体的に埋設し、開口部の開口する部分を塞ぐ熱可塑性合成樹脂部材を切除して開口部を形成した燃料タンクの製造方法である。
【００２６】
請求項５の本発明では、ブロー成形金型の開口部を形成する部分に金属製の環状の蓋係止部材を保持させて、ブロー成形金型の蓋係止部材を保持する部分の外側に、スライド金型を設け、スライド金型の内面の周端に凸条部を形成した。このため、蓋係止部材とスライド金型の部分で折曲部を形成することができるとともに、ブロー成形時に蓋係止部材を開口部に埋設することができる。
燃料タンク本体のブロー成形時に、スライド金型を外方に後退させて、燃料タンク本体の熱可塑性合成樹脂部材の一部を外方に延出させて上記開口部の筒状部を形成したため、スライド金型が後退した部分に燃料タンク本体を膨らませて、筒状部を形成することができる。
蓋係止部材は、開口部の筒状部に埋設される筒状の下縦壁部を有するため、開口部の筒状部の強度を確保するとともに、開口部に蓋係止部材が強く固着されることができる。
下縦壁部の先端から下縦壁部を拡径する方向に折れ曲がり開口面に平行な面を形成する下段部を有するため、この下段部で、開口部の折曲部を保持することができ、圧縮部を形成するときに、折曲部を蓋係止部材で下から保持して、折曲部を圧縮することが容易であり、蓋体を開口部に取り付けるときも、蓋体と開口部の折曲部を強く密着させることができる。
【００２７】
蓋係止部材とスライド金型の凸条部の間に、筒状部の熱可塑性合成樹脂部材を進入させ、拡径させるともに、開口部の熱可塑性合成樹脂部材をスライド金型の内面に当接させ、筒状部の先端から筒状部を拡径する方向に折れ曲げるとともに、さらに開口部の中心方向にヘヤピン状に折り曲げて熱可塑性合成樹脂部材の外層、内層及びその間の中間層をそれぞれ２層に重ね合わせ折曲部を形成した。このため、蓋係止部材とスライド金型の凸条部の間に燃料タンク本体の合成樹脂部材を侵入させることで容易に折曲部を形成することができる。
筒状部の先端から筒状部を拡径する方向に折り曲げるとともにさらに開口部の中心方向にヘヤピン状に折り曲げて熱可塑性合成樹脂部材の外層、内層及びその間の中間層をそれぞれ２層に重ね合わされ開口部の開口面に平行な外面を有するように折曲部を形成する。このため、折曲部を含む開口部は、燃料タンク本体から開口部を一体的に形成することができ、開口部は、密閉性に優れるとともに、圧縮部以外の折曲部の肉厚を確保することができる。折曲部は、外面が燃料タンク本体の外層で形成するため、強度を確保することができ、内部に中間層を有するため、燃料の浸透を防止することができる。
【００２８】
蓋係止部材の下段部で屈曲部を保持し、スライド金型を蓋係止部材方向に前進させ、スライド金型と蓋係止部材の下段部とで挟持しつつ上記折曲部の少なくとも一部を開口面に垂直な方向から圧縮して他の部分よりも薄肉の圧縮部を形成し、圧縮部の重ね合わされた部分の下側の外層に蓋係止部材の下壁部を一体的に埋設し、開口部の開口する部分を塞ぐ熱可塑性合成樹脂部材を切除して開口部を形成した。このため、スライド金型を蓋係止部材方向に前進させるのみで、ブロー成形時に折曲部に圧縮部を形成することができる。また、圧縮部を形成するときに折曲部を蓋係止部材の下段部で下から保持することができ、折曲部を圧縮することが容易であり、蓋体を開口部に取り付けるときも蓋体と開口部を強く密着させることができる。
折曲部の少なくとも一部は、開口面に垂直な方向から圧縮して他の部分よりも薄肉の圧縮部を形成したため、折曲部を圧縮するのみで、圧縮部で開口部の肉厚を薄く形成することができ、開口部の先端から外層を通過する燃料の浸透を最小限にすることができる。圧縮部の表面は平滑に形成することができ、シール性がよい。
【００２９】
請求項６の本発明は、圧縮部の形成は、スライド金型の凸条部により断面コ字形の溝状に形成され、溝状の底部は平滑面が形成された燃料タンクの製造方法である。
【００３０】
請求項６の本発明では、圧縮部の形成は、スライド金型の凸条部により断面コ字形の溝状に形成され、溝状の底部は平滑面が形成されたため、シール部材を所定位置に確実に保持することができ、シール部材が平滑面に密着するため、シール性がよい。
【発明の効果】
【００３１】
本発明では、開口部は、燃料タンク本体から外方に延出する筒状部と、筒状部の先端から筒状部を拡径する方向に折れ曲がり、開口部の開口面に平行な外面を有する折曲部とから構成されるため、開口部は、燃料タンク本体から一体的に形成され密閉性に優れるとともに、シール部材を保持することができる。折曲部は、内部に中間層を有するため、燃料の浸透を防止することができる。
折曲部の少なくとも一部は、薄肉の圧縮部を有するため、燃料の浸透を最小限にすることができる。圧縮部の重ね合わされた部分の下側の外層に金属製の環状の蓋係止部材を一体的に埋設したため、圧縮部を形成するときに折曲部を蓋係止部材で下から保持することができ、蓋体を開口部に取り付けるときも蓋体と開口部を強く密着させることができる。
【発明を実施するための最良の形態】
【００３２】
本発明の実施の形態である燃料タンクについて、自動車用燃料タンクを例にとり、図１〜図７に基づき説明する。
図１は、本発明の第１の実施の形態の燃料タンクの開口部１０の断面図である。図２は第１図の蓋体４０の係止する部分の拡大断面図である。図３は、本発明の第１の実施の形態の開口部１０に埋設される蓋係止部材（カムロック部材）２０の斜視図である。図４は、本発明の第１の実施の形態の開口部１０に埋設される他のカムロック部材２０の斜視図である。
図５は、本発明の第２の実施の形態の燃料タンクの開口部１０の蓋体４０の係止する部分の拡大断面図である。
図６と図７は、本発明の燃料タンク本体１の開口部１０の製造方法を示すブロー成形金型６０の開口部１０を形成する金型部分の断面図である。
【００３３】
本発明の第１の実施の形態では、燃料タンクは、図１と図２に示すように、燃料タンク本体１とその本体に燃料ポンプ（図示せず）等を出し入れするために開口部１０が形成されている。
燃料タンク本体１は、ブロー成形で形成され、その外壁は、外層２、内層３及び外層２と内層３との間に形成される中間層４の３層から構成されている。ブロー成形においては、上記の３層から構成されるパリソンが使用される。
外層２と内層３は、強度が高く燃料油に対しても強度が維持される熱可塑性合成樹脂から形成され、中間層４は、燃料油の透過が極めて少ない熱可塑性合成樹脂から形成されている。
【００３４】
外層２と内層３を構成する熱可塑性合成樹脂は、例えば、高密度ポリエチレン（ＨＤＰＥ）、ポリオキシメチレン（ＰＯＭ）、エチレンビニルアルコール共重合体（ＥＶＯＨ）、ナイロン、ポリブチレンテレフタレート、ポリエチレンテレフタレート、ポリフェニレンサルファイドのうち少なくとも１種類の材料を使用することができる。
また、中間層４を構成する熱可塑性合成樹脂は、例えば、エチレンビニルアルコール共重合体（ＥＶＯＨ）、ポリブチレンテレフタレート、ポリエチレンテレフタレート、ポリフェニレンサルファイド（ＰＰＳ）を使用することができる。
なお、上記エチレンビニルアルコール共重合体（ＥＶＯＨ）等の中間層４の両面に高密度ポリエチレン（ＨＤＰＥ）等と接着性のよい層、例えば変性ポリエチレン（ｍ−ＰＥ）等の接着層を介在させた多層パリソンを使用すると３層間の接着性が向上して好ましい。
【００３５】
図１に示すように、開口部１０は、燃料タンク本体１の上面に形成され、開口部１０は蓋体４０が取付けられ、係止されている。
開口部１０における蓋体４０の係止構造は、図２に示すように、蓋体４０を開口部１０に埋設された蓋係止部材（カムロック部材）２０と固定部材３０で挟持している。
蓋体４０は、略円盤状に形成され、下面に開口部１０の内周に沿って突出するフランジ部４１が形成され、蓋体４０のずれを防止している。
【００３６】
蓋体４０を挟持する固定部材３０は、リング状で断面形状が平板状である。固定部材３０の上面には、後述するカムロック部材２０の係止用爪部（ロック用爪部）２５に対応する部分に凸部３１が形成されている。凸部３１は固定部材３０の一部を上方に膨らませて形成することができる。この凸部３１がカムロック部材２０のロック用爪部２５と弾性的に係合して蓋体４０を係止することができる。
【００３７】
燃料タンク本体１の開口部１０は、その製造方法で後述するように、燃料タンク本体１から同じ材料で一体的に連続して、外方に延出して形成されている。開口部１０には、カムロック部材２０が埋設されている。
カムロック部材２０は、図２及び図３に示すように金属板で構成され、屈曲した略円筒状に形成されている。
【００３８】
カムロック部材２０の下部の断面形状は、図２に示すように、円筒状をなして下縦壁部２１を構成する。下縦壁部２１の上端から略直角に屈曲して開口部１０がなす面に平行な面を形成する下段部２２が一体的に形成される。下段部２２の先端から若干上方に階段状に折れ曲がるとともにさらに拡径する方向に折れ曲がり開口部１０に平行な面を形成する上段部２３が一体的に形成される。上段部２３の先端には、図３に示すように部分的に数箇所上方に上縦壁部２４が延設される。上縦壁部２４の上端から開口部１０の中心方向にＬ字形に曲がった蓋係止部材（ロック用爪部）２５が形成されている。ロック用爪部２５は、波型に屈曲して形成されることができる。これによって、前述の凸部３１とロック用爪部２５がバネ作用をして蓋体４０を係止することができる。
【００３９】
下縦壁部２１には、図３に示すように、下端部に波型の切欠部２６が形成されている。この切欠部２６には後述するように、ブロー成形時に開口部１０の筒状部１１の熱可塑性合成樹脂部材が進入してカムロック部材２０を開口部１０に固着することができる。
なお、波型の切欠部２６の代わりに、図４に示すように、下縦壁部２１の中央付近に複数の固定孔２７を形成することができる。この場合には、同じくブロー成形時に固定孔２７に筒状部１１の熱可塑性合成樹脂部材が進入してカムロック部材２０を開口部１０に固着することができる。
【００４０】
開口部１０は、図２に示すように、筒状部１１と折曲部１２から形成される。
筒状部１１は、燃料タンク本体１の外壁を構成する外層２、内層３及び中間層４の３層からなる熱可塑性合成樹脂壁が外方に筒状に延出されて形成される。筒状部１１の外層２にはカムロック部材２０の下縦壁部２１が埋設されている。上述のとおり、カムロック部材２０の切欠部２６または、固定孔２７に外層２の熱可塑性合成樹脂壁を構成する材料が進入している。このため、カムロック部材２０が開口部１０に強固に固定されることができる。
【００４１】
折曲部１２は、開口部１０の筒状部１１の先端から一体的、連続的に形成され、筒状部１１を拡径する方向、即ち、筒状部１１の先端から直角に外方に折れ曲がるとともに、さらに折り畳まれるように開口部１０の中心方向にヘヤピン状に折れ曲がり上下に熱可塑性合成樹脂の層が重ね合わされ開口部１０の開口面に平行な外面を有するように形成される。
このため、折曲部１２は、燃料タンク本体１の壁を構成する外層２、内層３及び中間層４が２層ずつ構成されている。従って、開口部１０は、燃料タンク本体１から同一材料で連続的に一体的に形成されて、密閉性に優れるとともに、折曲部１２の圧縮部１３以外の部分は、肉厚を確保することができ強度を確保できる。
【００４２】
折曲部１２は、略中央部には、開口部１０の面から垂直な方向から圧縮して形成されて、他の部分よりも薄肉の圧縮部１３が形成され、圧縮部１３には、断面が凹状の溝が開口部１０の全周に亘り形成されている。この圧縮部１３の溝には、ゴム製のシールリング５０が装着され、蓋体４０が開口部１０に取付けられたときは、蓋体４０の裏面に当接して、蓋体４０と開口部１０の間をシールすることができる。溝にシールリング５０を装着するため、所定位置に確実に保持することができる。
【００４３】
溝の表面は、後述するように、スライド型６１により平滑に形成されるためシールリング５０が密着して、シール性に優れている。
圧縮部１３の溝の底の部分は、折曲部１２が圧縮されて、薄肉状になっている。そして、その中心部には、中間層４が折り畳まれて存在し、中間層４の上下には外層２が薄肉状に存在している。
【００４４】
折曲部１２は、外面が燃料タンク本体１の外層２で形成されるため、強度を確保することができ、内部に中間層４を有するため、燃料の浸透を防止することができる。
さらに、折曲部１２は、薄肉の圧縮部１３を有するため、圧縮部１３で開口部１０の肉厚を薄くすることができ、特に外層２の肉厚を薄くすることができ、タンク内の燃料が開口部１０の端面から圧縮部１３の外層２を浸透していくことを最小限にすることができる。
【００４５】
次に、本発明の参考例について、図５に基づき説明する。
第２の実施の形態は、第１の実施の形態とは、カムロック部材２０の形状が異なり、他の部分は同様であるため、異なる部分を中心に説明し、同様な部分は説明を省略する。
第２の実施の形態のカムロック部材２０は、開口部１０に埋設される埋設部２８と、蓋体４０を押圧して係止する係止部２９から構成される。
【００４６】
埋設部２８は、平板状でリング状に構成され、リング状の内側は、開口部１０の外周に埋設される。埋設部２８は、開口部１０の圧縮部１３の下面と燃料タンク本体１の間に埋設されて、圧縮部１３を形成するときに折曲部１２を保持して、後述するスライド型６１が圧縮部１３を形成することができる。
係止部２９は、断面が階段状に屈曲されて、下側の下平面部２９ｂは、埋設部２８と密着して、埋設部２８と下平面部２９ｂとに連通して形成された孔に挿入されたボルト３５により固着されている。
【００４７】
係止部２９の上平面部２９ｃは、蓋体４０の外周面に当接して、埋設部２８とあわせて蓋体４０を挟持して、開口部１０をシールすることができる。
このため、開口部１０をブロー成形で成形するときに埋設部２８のみをブロー成形の金型に保持すればよく、成形が容易である。また、金属製の埋設部２８と係止部２９を別に形成するため、それぞれの構造は簡単になり、カムロック部材２０の製造が容易である。
【００４８】
次に、燃料タンクの開口部１０の製造方法を、図７と図８に基づき説明する。
燃料タンク本体１は、ブロー成形で成形するが、そのブロー成形と同時に開口部１０も成形する。
まず、ブロー成形金型６０の本体は、内側型６２と外側型６３から構成される。ブロー成形金型６０の開口部１０を形成する部分に開口を形成し、その開口にスライド型６１を内外方向にスライド可能に嵌め込む。スライド型６１の内面の周囲には、凸条部６４が形成されている。
【００４９】
図６に示すように、ブロー成形金型６０の開口の内側型６２と外側型６３の間にカムロック部材２０を挟み、ブロー成形を行う。ブロー成形において、燃料タンク本体１を形成する外層２、内層３及び中間層４からなる熱可塑性合成樹脂部材のパリソンの内部に空気が吹き込まれて、合成樹脂部材は外方に膨らみ、スライド型６１に当接する。その後、パリソンの内圧を維持しつつ、スライド型６１は、内方に、図６においては下方にスライドして、図７に示すようになる。
【００５０】
スライド型６１がスライドすると、合成樹脂部材のパリソンはブロー成形金型６０の内面に当接しつつ、燃料タンク本体１と開口部１０が形成される。このとき、カムロック部材２０は合成樹脂部材のパリソンの内部に埋設される。
即ち、カムロック部材２０の下縦壁部２１は、開口部１０の筒状部１１の外層２の部分に埋設され、カムロック部材２０の下段部２２の上面に折曲部１２の下面が当接し、折曲部１２は、スライド型６１の下降につれて、折曲部１２を圧縮して、折曲部１２をヘヤピン状に潰して形成する。
【００５１】
折曲部１２を圧縮すると同時に、折曲部１２の一部は、凸条部６４に圧縮されて、圧縮部１３を形成する。
圧縮部１３は、カムロック部材２０の下段部２２と凸条部６４に挟まれて圧縮されるので、均一に薄肉に形成されるとともに、圧縮部１３の上面に凹溝が形成される。凹溝には、前述のようにゴム製のシールリング５０が装着される。凹溝の底面は、スライド型６１の凸条部６４の圧縮により形成されるため、平滑に形成され、シールリング５０が平滑面に密着するため、シール性がよい。
折曲部１２を形成した後は、ブロー成形金型６０から、燃料タンク本体１を取り出し、蓋部１６が嵌め込まれる開口の部分を切除して、開口部１０を形成する。
【図面の簡単な説明】
【００５２】
【図１】本発明の第１の実施の形態である燃料タンク本体の開口部の断面図である。
【図２】図１の開口部の蓋体を係止する部分の構造を示す部分拡大断面図である。
【図３】本発明の第１の実施の形態に使用するカムロック部材の斜視図である。
【図４】本発明の第１の実施の形態に使用する他のカムロック部材の斜視図である。
【図５】本発明の参考例である燃料タンク本体の開口部の蓋体を保持する部分の構造を示す部分拡大断面図である。
【図６】本発明の実施に使用するブロー成形金型の燃料タンク本体の開口部部分において、スライド型が上方にスライドした状態の断面図である。
【図７】本発明の実施に使用するブロー成形金型の燃料タンク本体の開口部部分において、スライド型が下方にスライドした状態の断面図である。
【図８】従来の燃料タンク本体の開口部の断面図である。
【図９】従来の他の燃料タンク本体の開口部の断面図である。
【符号の説明】
【００５３】
１  燃料タンク本体
２  外層
３  内層
４  中間層
１０  開口部
１１  筒状部
１２  折曲部
１３  圧縮部
２０  蓋係止部材（カムロック部材）
３０  固定部材
４０  蓋体
６０  ブロー成形金型
６１  スライド型
【図１】
0004646143.tif 000002
【図２】
0004646143.tif 000003
【図３】
0004646143.tif 000004
【図４】
0004646143.tif 000005
【図５】
0004646143.tif 000006
【図６】
0004646143.tif 000007
【図７】
0004646143.tif 000008
【図８】
0004646143.tif 000009
【図９】
0004646143.tif 000010